(57)【要約】      （修正有）【課題】後付けの車載用機器を車両運用上の適当な位置に車両内装に最小限のダメージで容易に取り付けるための台座部品およびその周辺部品を提供する。【解決手段】車載機器の保持部４の場所を適切に確保するために、内装の一部に被せる形態で取り付ける台座部品１、および、保持部４と化粧パネル５の組み合わせであって、台座部品１の正面には付属部品の化粧パネル５が取り付けてあり、台座部品１と化粧パネル５の間には空間が設けられ、車載機器のケーブル類を通すことができるようになっている。車載機器本体を取り付ける保持部４は任意の角度で固定でき、必要に応じて車両に元々取り付けられているオーディオやラジオの操作パネルやナビゲーションシステム用の操作パネルのユーティリティデバイスの利用も容易に可能になっている。【選択図】図２
0003213613.tif 000002
【実用新案登録請求の範囲】
【請求項１】
車載用機器を固定するための支持構造であって、
元々車両のダッシュボードに備え付けられているユーティリティデバイスの形状およびその周囲の形状にピッタリ合わさるように被せて固定することの出来る台座様部品。
【請求項２】
請求項１の台座様部品において、
上記部品の上面に他の部品を固定するための基礎金具を有する台座様部品。
【請求項３】
請求項１の台座様部品において、
上記部品と内装ユーティリティデバイスの固定を強力にし、また前記部品間の摩擦によるキズを抑える為に、
上記部品の内側の一部に緩衝用のシート状部材が貼り付けられた台座様部品。
【請求項４】
請求項１の台座様部品において、
上記部品の正面に化粧板を固定するための孔（ホール）が用意された台座様部品。
【請求項５】
請求項１の台座様部品の正面の孔（ホール）を介して台座様部品との間にケーブル等を通す空間ができるように取り付けることの出来る化粧パネル。
【請求項６】
請求項１の台座様部品の上面の基礎金具を介して取り付けることの出来る任意に角度調整機能をもつ後付け車載機器の保持部。
【考案の詳細な説明】
【技術分野】
【０００１】
本考案は、ある種の内装をもつ自動車に対応する後付けの車載機器を搭載するための台座様部品およびその周辺部品に関するものである。
【背景技術】
【０００２】
近年は自動車の高機能化が進み、カーナビゲーションシステムなどのユーティリティデバイスが標準で搭載されるようになってきた。
【０００３】
しかし、コスト等の問題で標準ではカーナビゲーションシステムを搭載しない車両も少なからず存在し、また搭載されていてもその機能等がユーザーのニーズにマッチしない場合がある。
【０００４】
そのような場合、第３メーカーが用意する後付けのポータブルナビを利用したり、カーナビの機能をもたせたスマートフォン等を利用することになるが、これら後付けの車載機器を利用する場合、先ず車両のダッシュボード等に車載機器本体を取り付けるための保持部を設置し、そこに機器本体を取り付ける方式を採ることが一般的である。  
【０００５】
しかし、近年の自動車の高機能化やデザイン性の追求による内装の合理化や特化により、車両を安全で快適に運用する上での適切な位置に、後付け車載機器の為の保持部を設置することが困難である場合が増えた。また、車両内装への保持部の設置に関しては粘着テープやネジ等での固定方式が採用されていることが多く、その際のダッシュボード等内装へのダメージが懸念されることが多い。
【０００６】
また本考案が対象とするような車両に後付け車載機器を取り付ける事例をインターネットで検索したところ、上記のことを裏付けるように、ハザードランプスイッチの操作を妨げる位置に機器を取り付けている、元々のデバイスを撤去してダッシュボードを加工したうえであらたに車載機器を取り付けている事例が多くみられる。
【先行技術文献】
【特許文献】
【０００７】
【特許文献１】特開2014-177148(P2014-177148A)
【非特許文献】
【０００８】
【非特許文献１】「新型デミオのすべて」株式会社三栄書房  ２０１４年
【非特許文献１】「新型ロードスターのすべて」株式会社三栄書房  ２０１５年
【考案の概要】
【考案が解決しようとする課題】
【０００９】
解決しようとする問題点は、デザイン性や機能性の高いある種の車両において、後付け車載機器用の保持部の為の適切な場所が確保されておらず、適切と思われる位置にそれらの機器を取り付けることが困難であるということである。
【課題を解決するための手段】
【００１０】
本考案は、元々内装の一部として固定されているデバイスに被せる仕方で固定することのできる台座様部品によって、後付けの車載機器を取り付ける保持部の為の基礎部分を提供することを主たる特徴とする。
また同時にその基礎部分である台座様部品に取り付けることの出来る付属品である保持部および化粧パネルについても提案する。
【考案の効果】
【００１１】
本考案の台座様部品は、内装の一部である固定されたデバイスに被せて固定する方式を採っているため、付属部品との組み合わせることによって、任意の後付け車載用機器などを、車両運用上適切で快適と思われる位置に、ダッシュボードやその他内装に加工を施すことなく、容易に取り付ける事が出来るという効果を生んでいる。加えて本考案の台座様部品を取り付けたままでも、既設のデバイスの利用が可能となっており、車両が元々備えている機能も生かすことができる。
【図面の簡単な説明】
【００１２】
【図１】図１は台座様部品および付属部品の正面斜めからの外観図である。
【図２】図２は台座様部品および付属部品の側面からの外観図である。
【図３】図３は台座様部品の正面図である。
【図４】図４は台座様部品の側面図である。
【図５】図５は台座様部品の背面図である。
【図６】図６は台座様部品の上面図である。
【図７】図７は台座様部品の下面図である。
【図８】図８は台座様部品の後方斜視図である。
【図９】図９は化粧パネルの正面図、側面図、上面図、下面図である。
【図１０】図１０は車載機器の保持部の正面図、側面図、上面図、下面図である。
【図１１】図１１は台座様部品群の実施方法を示した説明図である。（実施例１）
【図１２】図１２は本考案の台座様部品群の実施結果を示した外観図である。（実施例２）
【図１３】図１３は本考案の台座様部品群の実施結果を示した外観図である。（実施例３）
【考案を実施するための形態】
【００１３】
車載機器の保持部の為の場所を適切な位置に確保するという目的を、内装の一部に被せる形態で取り付けることのできる台座様部品１を用意することで実現した。
【００１４】
図１および図２には本考案の台座様部品１およびそれに取り付けることの出来る付属部品の保持部４と化粧パネル５を組み合わせた状態が示されている。
なお、台座様部品１と付属部品を組み合わせたものを以下台座様部品群１１とする。ただし、破線は隠れ線を表す。
【００１５】
図２に示されるように、台座様部品１の正面には付属部品の化粧パネル５が取り付けてあり、台座様部品１と化粧パネル５の間には空間が設けられ、車載機器のケーブル等を通すことができるようになっている。
【００１６】
図２に示されるように、車載機器本体を取り付ける保持部４は任意の角度で固定でき、必要に応じて車両に元々取り付けられているユーティリティデバイス１２の利用も容易に可能になっている。
【００１７】
図３は台座様部品１の正面図であるが、実際の形状は、特に裾部について、ダッシュボードの形状にピッタリ合わさるように造形される。実際の形状については同部品１の側面図、背面図、上面図、下面図、斜視図についても同様である。
【００１８】
図３に示されている台座様部品１の孔（ホール）３は化粧パネル５を取り付ける際、これを利用する。
【００１９】
図３に示されている台座様部品１の基礎金具２は台座様部品１に車載機器の保持部４を取り付ける際に、ネジ等と共にこれを利用する。
【００２０】
図４は台座様部品１の側面図であり、基本的に反対側面は対称形となる。ただし、これは基本的な形状を示しているだけであって、実際の形状は対象車両のダッシュボードの形状に合わせて造形される。
【００２１】
図４に示されている台座様部品１の孔（ホール）３は化粧パネル５を取り付ける際、これを利用する。
【００２２】
図６に示される台座様部品１の基礎金具２には車載機器の保持部４を取り付けるためのネジ穴が備わっている。ネジやボルトを使用して保持部４と台座様部品１を接続する。
【００２３】
図７に示されている台座様部品１の緩衝材６は、車両に元々備え付けられているユーティリティデバイス１２に台座様部品１を被せる際に、これらの固定を強力にするとともにユーティリティデバイス１２への擦り傷を防止するために取り付ける。  
【００２４】
図９では背面図はダボ７があるだけなので省略されているが、ダボ７は図３および図４に示される台座様部品１の孔（ホール）３の位置に合わさるように配置され、台座様部品１の孔（ホール）３に差し込むことによって、化粧パネル５を台座様部品１の正面部に平行になるように取り付けることができる。
【００２５】
図１０に示される保持部４の角度調整部９は角度を任意に固定できるヒンジ状の部品が使用される。たとえばトルクヒンジである。背面図は一般的なヒンジ形状のため省略する。
【００２６】
図１０に示される保持部４の車載機器本体の取り付け部８は、機器本体の大きさに応じたサイズ変更を考慮しており、角度調整部９との接続をネジ等１０で行う。
【００２７】
図１０に示される保持部４の車載機器本体の取り付け部８と車載機器本体１４の接続については、本考案では特に提案しないが、粘着テープやマジックテープ（登録商標）の使用が考慮されている。  
【実施例１】
【００２８】
図１１は、本考案の実施方法の説明図であって、実線部が本考案の部品群である。なお網掛け部は付属部品の保持部および化粧パネルを表す。
破線部は車両のダッシュボードおよびそこに固定されたメーカー標準のユーティリティデバイスを示している。
図１１に示されているように本考案部品群１１をユーティリティデバイス１２の上から被せる形で取り付ける。
【実施例２】
【００２９】
図１２は、本考案の１実施例の外観図であって、実線部が本考案の部品である。ただし、網掛部は車載機器本体であり本考案には含まれない。
図１２ではダッシュボード１３に固定されているユーティリティデバイス１２に台座様部品群１１が被せる方式で取り付けられ、台座様部品群１１の保持部４に後付けの車載機器１４が接続されている。
この状態でも、ユーティリティデバイス１２は操作可能である。また車載機器１４のケーブル類は化粧パネル５の裏を通されている。
ただし、破線部は車両の内装部分を表す。
【実施例３】
【００３０】
図１３は、本考案の１実施例の外観図であって、実線部が本考案の部品である。ただし、網掛部は車載機器本体であり本考案には含まれない。また、網掛部の破線は隠れ線で背後にある台座様部品１およびユーティリティデバイス１２の形状を表している。
図１３ではダッシュボード１３に固定されているユーティリティデバイス１２に台座様部品群１１が被せる方式で取り付けられ、台座様部品群１１の保持部４に後付けの車載機器１４が接続されている。
車載機器１４本体は保持部４の角度調整機能によって持ち上げた状態で固定できるので、必要に応じて背後のユーティリティデバイス１２も利用できる。
ただし、破線部は車両の内装部分および背後の形状の隠れ線を表す。
【産業上の利用可能性】
【００３１】
造形次第では多くの形状の車両内装および既設デバイスに対応でき、適用範囲は広いと考えられる。結果、より多くの車両に後付けの車載機器が適切に取り付けできるようになると考えられる。
【符号の説明】
【００３２】
１    台座様部品
２    基礎金具
３    孔（ホール）
４    保持部
５    化粧パネル
６    緩衝材
７    ダボ
８    車載機器本体の取り付け部
９    角度調整部
１０    ネジまたはボルト
１１    台座様部品群
１２    車両内装に固定されているデバイス
１３    車両のダッシュボード
１４    車載機器本体
【図１】
0003213613.tif 000003
【図２】
0003213613.tif 000004
【図３】
0003213613.tif 000005
【図４】
0003213613.tif 000006
【図５】
0003213613.tif 000007
【図６】
0003213613.tif 000008
【図７】
0003213613.tif 000009
【図８】
0003213613.tif 000010
【図９】
0003213613.tif 000011
【図１０】
0003213613.tif 000012
【図１１】
0003213613.tif 000013
【図１２】
0003213613.tif 000014
【図１３】
0003213613.tif 000015
【手続補正書】
【提出日】平成29年9月12日(2017.9.12)
【手続補正１】
【補正対象書類名】明細書
【補正対象項目名】全文
【補正方法】変更
【補正の内容】
【考案の詳細な説明】
【技術分野】
【０００１】  本考案は、ある種の内装をもつ自動車に対応する後付けの車載機器を搭載するための台座部品およびその周辺部品に関するものである。
【背景技術】
【０００２】  近年は自動車の高機能化が進み、カーナビゲーションシステムなどのユーティリティデバイスが標準で搭載されるようになってきた。【０００３】  しかし、コスト等の問題で標準ではカーナビゲーションシステムを搭載しない車両も少なからず存在し、また搭載されていてもその機能等がユーザーのニーズにマッチしない場合がある。【０００４】  そのような場合、第３メーカーが用意する後付けのポータブルナビを利用したり、カーナビの機能をもたせたスマートフォン等を利用することになるが、これら後付けの車載機器を利用する場合、先ず車両のダッシュボード等に車載機器本体を取り付けるための保持部を設置し、そこに機器本体を取り付ける方式を採ることが一般的である。  【０００５】  しかし、近年の自動車の高機能化やデザイン性の追求による内装の合理化や特化により、車両を安全で快適に運用する上での適切な位置に、後付け車載機器の為の保持部を設置することが困難である場合が増えた。また、車両内装への保持部の設置に関しては粘着テープやネジ等での固定方式が採用されていることが多く、その際のダッシュボード等内装へのダメージが懸念されることが多い。【０００６】また本考案が対象とするような車両に後付け車載機器を取り付ける事例をインターネットで検索したところ、上記のことを裏付けるように、ハザードランプスイッチの操作を妨げる位置に機器を取り付けている、元々のデバイスを撤去してダッシュボードを加工したうえであらたに車載機器を取り付けている事例が多くみられる。 
【先行技術文献】
【特許文献】
【０００７】
【特許文献１】特開2014-177148(P2014-177148A)
【非特許文献】
【０００８】
【非特許文献１】「新型デミオのすべて」株式会社三栄書房  ２０１４年
【非特許文献１】「新型ロードスターのすべて」株式会社三栄書房  ２０１５年
【考案の概要】
【考案が解決しようとする課題】
【０００９】  解決しようとする問題点は、デザイン性や機能性の高いある種の車両において、後付け車載機器用の保持部の為の適切な場所が確保されておらず、適切と思われる位置にそれらの機器を取り付けることが困難であるということである。
【課題を解決するための手段】
【００１０】  本考案は、元々内装の一部として固定されているデバイスに被せる仕方で固定することのできる台座部品によって、後付けの車載機器を取り付ける保持部の為の基礎部分を提供することを主たる特徴とする。また同時にその基礎部分である台座部品に取り付けることの出来る付属品である保持部および化粧パネルについても提案する。
【考案の効果】
【００１１】  本考案の台座部品は、内装の一部である固定されたデバイスに被せて固定する方式を採っているため、付属部品との組み合わせることによって、任意の後付け車載用機器などを、車両運用上適切で快適と思われる位置に、ダッシュボードやその他内装に加工を施すことなく、容易に取り付ける事が出来るという効果を生んでいる。加えて本考案の台座部品を取り付けたままでも、既設のデバイスの利用が可能となっており、車両が元々備えている機能も生かすことができる。 
【図面の簡単な説明】
【００１２】
【図１】図１は台座部品および付属部品の正面斜めからの外観図である。
【図２】図２は台座部品および付属部品の側面からの外観図である。
【図３】図３は台座部品の正面図である。
【図４】図４は台座部品の側面図である。
【図５】図５は台座部品の背面図である。
【図６】図６は台座部品の上面図である。
【図７】図７は台座部品の下面図である。
【図８】図８は台座部品の後方斜視図である。
【図９】図９は化粧パネルの正面図、側面図、上面図、下面図である。
【図１０】図１０は車載機器の保持部の正面図、側面図、上面図、下面図である。
【図１１】図１１は台座部品群の実施方法を示した説明図である。（実施例１）
【図１２】図１２は本考案の台座部品群の実施結果を示した外観図である。（実施例２）
【図１３】図１３は本考案の台座部品群の実施結果を示した外観図である。（実施例３）
【考案を実施するための形態】
【００１３】車載機器の保持部の為の場所を適切な位置に確保するという目的を、内装の一部に被せる形態で取り付けることのできる台座様部品１を用意することで実現した。
【００１４】図１および図２には本考案の台座部品１およびそれに取り付けることの出来る付属部品の保持部４と化粧パネル５を組み合わせた状態が示されている。なお、台座部品１と付属部品を組み合わせたものを以下台座部品群１１とする。ただし、破線は隠れ線を表す。
【００１５】図２に示されるように、台座部品１の正面には付属部品の化粧パネル５が取り付けてあり、台座部品１と化粧パネル５の間には空間が設けられ、車載機器のケーブル類を通すことができるようになっている。
【００１６】図２に示されるように、車載機器本体を取り付ける保持部４は任意の角度で固定でき、必要に応じて車両に元々取り付けられているユーティリティデバイス１２の利用も容易に可能になっている。
【００１７】図３は台座部品１の正面図であるが、実際の形状は、特に裾部について、ダッシュボードの形状にピッタリ合わさるように造形される。実際の形状については同部品１の側面図、背面図、上面図、下面図、斜視図についても同様である。
【００１８】図３に示されている台座部品１の孔（ホール）３は化粧パネル５を取り付ける際、これを利用する。
【００１９】図３に示されている台座部品１に埋め込まれている板状の基礎金具２は台座部品１に車載機器の保持部４を取り付ける際に、ネジ類と共にこれを利用する。
【００２０】図４は台座部品１の側面図であり、基本的に反対側面は対称形となる。ただし、これは基本的な形状を示しているだけであって、実際の形状は対象車両のダッシュボードの形状に合わせて造形される。
【００２１】図４に示されている台座部品１の孔（ホール）３は化粧パネル５を取り付ける際、これを利用する。
【００２２】図６に示される台座部品１の板状の基礎金具２には車載機器の保持部４を取り付けるためのネジ穴が備わっている。ネジやボルトを使用して保持部４と台座部品１を接続する。
【００２３】図７に示されている台座部品１の緩衝材６は、車両に元々備え付けられているユーティリティデバイス１２に台座部品１を被せる際に、これらの固定を強力にするとともにユーティリティデバイス１２への擦り傷を防止するために取り付ける。  
【００２４】図９では背面図はダボ７があるだけなので省略されているが、ダボ７は図３および図４に示される台座部品１の孔（ホール）３の位置に合わさるように配置され、台座部品１の孔（ホール）３に差し込むことによって、化粧パネル５を台座部品１の正面部に平行になるように取り付けることができる。
【００２５】図１０に示される保持部４の角度調整部９は角度を任意に固定できるヒンジ状の部品が使用される。たとえばトルクヒンジである。背面図は一般的なヒンジ形状のため省略する。
【００２６】図１０に示される保持部４の車載機器本体の取り付け部８は、機器本体の大きさに応じたサイズ変更を考慮しており、角度調整部９との接続をネジまたはボルト１０で行う。
【００２７】図１０に示される保持部４の車載機器本体の取り付け部８と車載機器本体１４の接続については、本考案では特に提案しないが、粘着テープやマジックテープ（登録商標）の使用が考慮されている。   
【実施例１】
【００２８】図１１は、本考案の実施方法の説明図であって、実線部が本考案の部品群である。なお網掛け部は付属部品の保持部および化粧パネルを表す。破線部は車両のダッシュボードおよびそこに固定されたメーカー標準のユーティリティデバイスを示している。図１１に示されているように本考案部品群１１をユーティリティデバイス１２の上から被せる形で取り付ける。
【実施例２】
【００２９】図１２は、本考案の１実施例の外観図であって、実線部が本考案の部品である。ただし、網掛部は車載機器本体であり本考案には含まれない。図１２ではダッシュボード１３に固定されているユーティリティデバイス１２に台座部品群１１が被せる方式で取り付けられ、台座部品群１１の保持部４に後付けの車載機器１４が接続されている。    この状態でも、ユーティリティデバイス１２は操作可能である。また車載機器１４のケーブル類は化粧パネル５の裏を通されている。    ただし、破線部は車両の内装部分を表す。
【実施例３】
【００３０】図１３は、本考案の１実施例の外観図であって、実線部が本考案の部品である。ただし、網掛部は車載機器本体であり本考案には含まれない。また、網掛部の破線は隠れ線で背後にある台座部品１およびユーティリティデバイス１２の形状を表している。図１３ではダッシュボード１３に固定されているユーティリティデバイス１２に台座部品群１１が被せる方式で取り付けられ、台座部品群１１の保持部４に後付けの車載機器１４が接続されている。車載機器１４本体は保持部４の角度調整機能によって持ち上げた状態で固定できるので、必要に応じて背後のユーティリティデバイス１２も利用できる。ただし、破線部は車両の内装部分および背後の形状の隠れ線を表す。 
【産業上の利用可能性】
【００３１】  造形次第では多くの形状の車両内装および既設デバイスに対応でき、適用範囲は広いと考えられる。結果、より多くの車両に後付けの車載機器が適切に取り付けできるようになると考えられる。
【符号の説明】
【００３２】  １    台座部品  ２    基礎金具  ３    孔（ホール）  ４    保持部  ５    化粧パネル  ６    緩衝材  ７    ダボ  ８    車載機器本体の取り付け部  ９    角度調整部１０    ネジまたはボルト１１    台座部品群１２    車両内装に固定されているデバイス１３    車両のダッシュボード１４    車載機器本体  
【手続補正２】
【補正対象書類名】実用新案登録請求の範囲
【補正対象項目名】全文
【補正方法】変更
【補正の内容】
【実用新案登録請求の範囲】
【請求項１】
車載用機器を固定するための支持構造であって、  元々車両のダッシュボードに備え付けられているユーティリティデバイスの形状およびその周囲の形状にピッタリ合わさるように被せて固定することの出来る台座部品。 ここでユーティリティデバイスとはオーディオ、ラジオの操作パネルやナビゲーションシステム用のパネルを指す。
【請求項２】
請求項１の台座部品において、  上記部品の上面に他の部品を固定するためのネジ穴を有する板状の基礎金具が埋め込まれた台座部品。
【請求項３】
請求項１の台座部品において、  上記部品と内装ユーティリティデバイスの固定を強力にし、また前記部品間の摩擦によるキズを抑える為に、  上記部品の内側の一部に緩衝用のシート状部材が貼り付けられた台座部品。
【請求項４】
請求項１の台座部品において、  上記部品の正面に化粧板を固定するための孔（ホール）が用意された台座部品。
【請求項５】
請求項１の台座部品の正面の孔（ホール）を介して台座部品との間にケーブル類を通す空間ができるように取り付けることの出来る化粧パネル。
【請求項６】
請求項１の台座部品の上面に埋め込まれた板状の基礎金具にネジ類によって取り付けることの出来る任意に角度調整機能をもつ後付け車載機器の保持部。    
【手続補正３】
【補正対象書類名】図面
【補正対象項目名】全図
【補正方法】変更
【補正の内容】
【図１】
0003213613.tif 000016
【図２】
0003213613.tif 000017
【図３】
0003213613.tif 000018
【図４】
0003213613.tif 000019
【図５】
0003213613.tif 000020
【図６】
0003213613.tif 000021
【図７】
0003213613.tif 000022
【図８】
0003213613.tif 000023
【図９】
0003213613.tif 000024
【図１０】
0003213613.tif 000025
【図１１】
0003213613.tif 000026
【図１２】
0003213613.tif 000027
【図１３】
0003213613.tif 000028